(57)【要約】      （修正有）【課題】フィルタメディアへの支持及び／又はフィルタメディアに対する良好な排水を提供する、支持・ドレネージ要素、これらの要素を含むフィルタ、及び使用方法の提供。【解決手段】支持・ドレネージ要素１０００において、フレーム５００を具備し、フレーム５００は、第１及び第２の主表面を有する第１の区域１００を具備し、平行なフランジ１３０の列１２０を具備し、列１２０は、第１及び第２の主表面を通過する開口部１３１によって互いから隔置され、第１の区域１００は、平行なフランジ１３０を通過する複数の開口部１３１及び／又はスロット１５１をさらに具備し、第１の区域１００は、平行に配置され及び第１の主表面から上方へ第１の主表面に直交して突出する複数の横材１５０を有し、各横材１５０が、横材を通過する少なくとも１つのスロット１５１及び／又は開口部１３１を含んでいる支持・ドレネージ要素。【選択図】図１
2020099893.tif 000002
【特許請求の範囲】
【請求項１】
フレームを具備する支持・ドレネージ要素であって、
前記フレームが、
（ａ）第１の主表面及び第２の主表面を有する少なくとも１つの第１の区域を具備し、
前記第１の主表面及び前記第２の主表面が、平行なフランジの列を具備し、前記平行なフランジの列が、前記第１の主表面及び前記第２の主表面を通過する開口部によって互いから隔置され、前記少なくとも１つの第１の区域が、前記平行なフランジを通過する複数の開口部及び／又はスロットをさらに具備し、前記少なくとも１つの第１の区域が、平行に配置され及び前記第１の主表面から上方へ前記第１の主表面に直交して突出する複数の横材を有し、各横材が、前記横材を通過する少なくとも１つのスロット及び／又は開口部を含む、支持・ドレネージ要素。
【請求項２】
請求項１に記載の支持・ドレネージ要素と、
（ｂ）第１の主表面及び第２の主表面を有する少なくとも１つの第２の区域と
を具備する支持・ドレネージ要素システムであって、
前記第１の主表面及び第２の主表面が、平行なフランジの列を具備し、前記平行なフランジの列が、前記第１の主表面及び前記第２の主表面を通過する開口部によって互いから隔置され、前記少なくとも１つの第２の区域が、前記平行なフランジを通過する複数の開口部及び／又はスロットをさらに具備し、前記少なくとも１つの第２の区域が、平行に配置され及び前記第１の主表面から上方へ前記第１の主表面に直交して突出する複数の横材を有し、各横材が、前記横材を通過する少なくとも１つのスロット及び／又は開口部を含む、支持・ドレネージ要素システム。
【請求項３】
フレームを具備する支持・ドレネージ要素であって、
前記フレームが、
（ａ）第１の主表面及び第２の主表面を有する少なくとも１つの第１の区域であって、前記第１の主表面及び前記第２の主表面が、平行なフランジの列を具備し、前記平行なフランジの列が、前記第１の主表面及び前記第２の主表面を通過する開口部によって互いから隔置され、前記少なくとも１つの第１の区域が、前記平行なフランジを通過する複数の開口部及び／又はスロットをさらに具備し、前記少なくとも１つの第１の区域が、平行に配置され及び前記第１の主表面から上方へ前記第１の主表面に直交して突出する複数の横材を有し、各横材が、前記横材を通過する少なくとも１つのスロット及び／又は開口部を含む、少なくとも１つの第１の区域と、
（ｂ）第１の主表面及び第２の主表面を有する少なくとも１つの第２の区域であって、前記第１の主表面及び前記第２の主表面が、平行なフランジの列を具備し、前記平行なフランジの列が、前記第１の主表面及び前記第２の主表面を通過する開口部によって互いから隔置され、前記少なくとも１つの第２の区域が、前記平行なフランジを通過する複数の開口部及び／又はスロットをさらに具備し、前記少なくとも１つの第２の区域が、平行に配置され及び前記第１の主表面から上方へ前記第１の主表面に直交して突出する複数の横材を有し、各横材が、前記横材を通過する少なくとも１つのスロット及び／又は開口部を含む、少なくとも１つの第２の区域と、
（ｃ）第１の主表面及び第２の主表面、並びに第１の主表面及び第２の主表面を通過する少なくとも１つの開口部を有する第１の折畳み可能ヒンジであって、前記第１の折畳み可能ヒンジによって前記第１の区域が前記第２の区域に連結される、第１の折畳み可能ヒンジと
を具備し、
（ｉ）前記第１の折畳み可能ヒンジが折り畳まれたとき、前記第１の区域上の前記複数の横材及び前記第２の区域上の前記複数の横材が、並列に位置合わせされて互いに接触する、支持・ドレネージ要素。
【請求項４】
フレームを具備する支持・ドレネージ要素であって、
前記フレームが、
（ａ）第１の主表面及び第２の主表面を有する第１の区域を具備し、
前記第１の主表面及び前記第２の主表面が、平行なフランジの列を具備し、前記平行なフランジの列が、前記第１の主表面及び前記第２の主表面を通過する開口部によって互いから隔置され、前記第１の区域が、前記平行なフランジを通過する複数の開口部及び／又はスロットをさらに具備し、少なくとも１つの前記第１の区域が、平行に配置され及び前記第１の主表面から上方へ前記第１の主表面に直交して突出する複数のずれていない横材を有し、各横材が、前記横材を通過する少なくとも１つのスロット及び／又は開口部を含み、
前記横材が、
（ｂ）第１の主表面及び第２の主表面を有する第２の区域に連結され、
前記第１の主表面及び前記第２の主表面が、平行なフランジの列を具備し、前記平行なフランジの列が、前記第１の主表面及び前記第２の主表面を通過する開口部によって互いから隔置され、前記第２の区域が、前記平行なフランジを通過する複数の開口部及び／又はスロットをさらに具備し、
前記支持・ドレネージ要素が、各々が第１の主表面及び第２の主表面、並びに前記第１の主表面及び前記第２の主表面を通過する少なくとも１つの開口部を有する隔置された湾曲連結部の平行な列をさらに具備し、前記湾曲連結部によって第１の区域が第２の区域に連結される、支持・ドレネージ要素。
【請求項５】
少なくとも１つの第１の区域及び／又は少なくとも１つの第２の区域に連結された湾曲延長部をさらに具備し、
前記湾曲延長部が、複数の開口部を含む、請求項１〜４のいずれか一項に記載の支持・ドレネージ要素。
【請求項６】
（ｄ）第１の主表面及び第２の主表面を有する少なくとも１つの第３の区域であって、前記第１の主表面及び前記第２の主表面が、平行なフランジの列を具備し、前記平行なフランジの列が、前記第１の主表面及び前記第２の主表面を通過する開口部によって互いから隔置され、前記少なくとも１つの第３の区域が、前記平行なフランジを通過する複数の開口部及び／又はスロットをさらに具備し、前記少なくとも１つの第３の区域が、平行に配置され及び前記第１の主表面から上方へ前記第１の主表面に直交して突出する複数の横材を有し、各横材が、前記横材を通過する少なくとも１つのスロット及び／又は開口部を含む、少なくとも１つの第３の区域と、
（ｅ）第１の主表面及び第２の主表面を有する少なくとも１つの第４の区域であって、前記第１の主表面及び前記第２の主表面が、平行なフランジの列を具備し、前記平行なフランジの列が、前記第１の主表面及び前記第２の主表面を通過する開口部によって互いから隔置され、前記少なくとも１つの第４の区域が、前記平行なフランジを通過する複数の開口部及び／又はスロットをさらに具備し、前記少なくとも１つの第４の区域が、平行に配置され及び前記第１の主表面から上方へ前記第１の主表面に直交して突出する複数の横材を有し、各横材が、前記横材を通過する少なくとも１つのスロット及び／又は開口部を含む、少なくとも１つの第４の区域と、
（ｆ）第１の主表面及び第２の主表面、並びに第１の主表面及び第２の主表面を通過する開口部を有する第２の折畳み可能ヒンジであって、前記第２の折畳み可能ヒンジによって前記第３の区域が前記第４の区域に連結される、第２の折畳み可能ヒンジと、
（ｇ）第１の主表面及び第２の主表面、並びに第１の主表面及び前記第２の主表面を通過する少なくとも１つの開口部を有する第３の折畳み可能ヒンジであって、前記第３の折畳み可能ヒンジによって前記第３の区域が前記第２の区域に連結される、第３の折畳み可能ヒンジと
をさらに具備し、
（ｉｉ）前記第２の折畳み可能ヒンジが折り畳まれたとき、前記第３の区域上の前記複数の横材及び前記第４の区域上の前記複数の横材が、並列に位置合わせされて互いに接触する、請求項３に記載の支持・ドレネージ要素。
【請求項７】
前記第３の折畳み可能ヒンジ内の前記少なくとも１つの開口部が、前記第１の折畳み可能ヒンジ及び前記第２の折畳み可能ヒンジ内の前記少なくとも１つの開口部より大きい、請求項６に記載の支持・ドレネージ要素。
【請求項８】
折り畳まれたとき、前記第１の区域上の前記複数の横材が、前記第２の区域の前記第１の主表面に接触し、前記第２の区域上の前記複数の横材が、前記第１の区域の前記第１の主表面に接触し、前記第３の区域上の前記複数の横材が、前記第４の区域の前記第１の主表面に接触し、前記第４の区域上の前記複数の横材が、前記第３の区域の前記第１の主表面に接触する、請求項６又は７に記載の支持・ドレネージ要素。
【請求項９】
少なくとも１つの追加の第１の区域、少なくとも１つの追加の第２の区域、及び前記少なくとも１つの追加の第１の区域を前記少なくとも１つの追加の第２の区域に連結する少なくとも１つの追加の第１の折畳み可能ヒンジ、並びに前記追加の第１の区域を前記少なくとも１つの第４の区域に連結する少なくとも１つの追加の第３の折畳み可能ヒンジを含む、請求項６〜８のいずれか一項に記載の支持・ドレネージ要素。
【請求項１０】
複数のプリーツを有するプリーツ付き多孔質フィルタメディアであって、各プリーツが、上流面及び下流面を有する、プリーツ付き多孔質フィルタメディアと、
請求項２に記載の支持・ドレネージシステムと
を具備し、
前記第１の区域又は前記第２の区域が、プリーツの前記上流面又は前記下流面に接触し、前記第１の区域上の前記複数の横材及び前記第２の区域上の前記複数の横材が、並列に位置合わせされて互いに接触する、フィルタ装置。
【請求項１１】
複数のプリーツを有するプリーツ付き多孔質フィルタメディアであって、各プリーツが、上流面及び下流面を有する、プリーツ付き多孔質フィルタメディアと、
請求項３又は５に記載の少なくとも１つの支持・ドレネージ要素と
を具備し、
前記第１の折畳み可能ヒンジが折り畳まれ、プリーツの前記上流面又は前記下流面が、前記第１の区域の前記第２の主表面及び前記第２の区域の前記第２の主表面に接触している、フィルタ装置。
【請求項１２】
請求項３又は５に記載の追加の支持・ドレネージ要素をさらに具備し、
プリーツの上流面が、前記少なくとも１つの支持・ドレネージ要素の前記第１の区域の前記第２の主表面及び前記第２の区域の前記第２の主表面に接触しており、プリーツの下流面が、前記追加の支持・ドレネージ要素の前記第１の区域の前記第２の主表面及び前記第２の区域の前記第２の主表面に接触している、請求項１１に記載のフィルタ装置。
【請求項１３】
複数の別個の支持・ドレネージ要素を具備し、
各々の別個の支持・ドレネージ要素が、プリーツの上流及び／又は下流のインサートを具備する、請求項１１又は１２に記載のフィルタ装置。
【請求項１４】
請求項３〜９のいずれか一項に記載の第１の別個の支持・ドレネージ要素及び第２の別個の支持・ドレネージ要素を具備し、
前記第１の別個の支持・ドレネージ要素が、上流の支持・ドレネージ要素を具備し、前記第２の別個の支持・ドレネージ要素が、下流の支持・ドレネージ要素を具備する、支持・ドレネージ要素システム。
【請求項１５】
請求項３〜５のいずれか一項に記載の複数の第１及び第２の別個の支持・ドレネージ要素を具備し、
前記複数の第１及び第２の別個の支持・ドレネージ要素の各々が、複数のプリーツを有するプリーツ付き多孔質フィルタメディアのうちの個々のプリーツの上流及び／又は下流での使用に適した別個のインサートを具備する、支持・ドレネージ要素システム。
【請求項１６】
複数のプリーツを有する少なくとも１つのプリーツ付き多孔質フィルタメディアを具備するプリーツ付き多孔質フィルタと、
請求項１４に記載の支持・ドレネージ要素システムと
を具備し、
前記プリーツ付き多孔質フィルタが、前記上流の支持・ドレネージ要素と前記下流の支持・ドレネージ要素との間に配置される、フィルタシステム。
【請求項１７】
複数のプリーツを有するプリーツ付き多孔質フィルタメディアを具備するプリーツ付き多孔質フィルタと、
請求項１５に記載の支持・ドレネージ要素システムと
を具備し、
各プリーツが、前記プリーツの上流及び下流に配置されたインサートを具備する別個の支持・ドレネージ要素を有する、フィルタシステム。
【請求項１８】
前記プリーツ付き多孔質フィルタが、レイドオーバープリーツフィルタを具備する、請求項１６又は１７に記載のフィルタシステム。
【請求項１９】
請求項１６に記載のフィルタシステムに流体を通すステップを含み、前記上流の支持・ドレネージ要素、前記プリーツ付き多孔質フィルタ、及び前記下流の支持・ドレネージ要素に流体を通すことを含む、流体を濾過する方法。
【請求項２０】
請求項１７に記載のフィルタシステムに流体を通すステップを含み、前記上流の支持・ドレネージ要素インサート、前記プリーツ、及び前記下流の支持・ドレネージ要素インサートに流体を通すことを含む、流体を濾過する方法。
【発明の詳細な説明】
【発明の背景】
【０００１】
[0001]複数の濾過用途において、メッシュなどの支持・ドレネージ要素（スクリーン又はネッティングとも呼ばれる）が利用されており、支持・ドレネージ（「Ｓ＆Ｄ」）要素は、多孔質フィルタメディアの上流及び／又は下流に配置される。Ｓ＆Ｄ要素は、フィルタメディアの孔よりはるかに大きい開口を有しており、フィルタメディアへの支持及び／又はフィルタメディアに対する良好な排水を提供する。
【０００２】
[0002]しかし、改善された支持・ドレネージ要素が必要とされている。
【０００３】
[0003]本発明は、従来技術の欠点のうちの少なくともいくつかを改良することを提供する。本発明の上記及びその他の利点は、以下に述べる説明から明らかになる。
【発明の概要】
【０００４】
[0004]本発明の一実施形態は、フレームを具備する支持・ドレネージ要素を提供し、フレームは、（ａ）第１の主表面及び第２の主表面を有する少なくとも１つの第１の区域を具備し、第１の主表面及び第２の主表面が、平行なフランジの列を具備し、平行なフランジの列が、第１の主表面及び第２の主表面を通過する開口部によって互いから隔置され、少なくとも１つの第１の区域が、平行なフランジを通過する複数の開口部及び／又はスロットをさらに具備し、少なくとも１つの第１の区域が、平行に配置され且つ第１の主表面から上方へ第１の主表面に直交して突出する複数の横材（ｂｅａｍ）を有し、各横材が、その横材を通過する少なくとも１つのスロット及び／又は開口部を含む。一実施形態では、支持・ドレネージ要素は、支持・ドレネージ要素システムの一実施形態に含まれ、このシステムは、（ｂ）第１の主表面及び第２の主表面を有する少なくとも１つの第２の区域をさらに具備し、第１の主表面及び第２の主表面が、平行なフランジの列を具備し、平行なフランジの列が、第１の主表面及び第２の主表面を通過する開口部によって互いから隔置され、少なくとも１つの第２の区域が、平行なフランジを通過する複数の開口部及び／又はスロットをさらに具備し、少なくとも１つの第２の区域が、平行に配置され且つ第１の主表面から上方へ第１の主表面に直交して突出する複数の横材を有し、各横材が、その横材を通過する少なくとも１つのスロット及び／又は開口部を含む。
【０００５】
[0005]別の実施形態では、フレームを具備する支持・ドレネージ要素が提供され、フレームは、（ａ）第１の主表面及び第２の主表面を有する少なくとも１つの第１の区域であって、第１の主表面及び第２の主表面が、平行なフランジの列を具備し、平行なフランジの列が、第１の主表面及び第２の主表面を通過する開口部によって互いから隔置され、少なくとも１つの第１の区域が、平行なフランジを通過する複数の開口部及び／又はスロットをさらに具備し、少なくとも１つの第１の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第１の区域と、（ｂ）第１の主表面及び第２の主表面を有する少なくとも１つの第２の区域であって、第１の主表面及び第２の主表面が、平行なフランジの列を具備し、平行なフランジの列が、第１の主表面及び第２の主表面を通過する開口部によって互いから隔置され、少なくとも１つの第２の区域が、平行なフランジを通過する複数の開口部及び／又はスロットをさらに具備し、少なくとも１つの第２の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第２の区域と、（ｃ）第１の主表面及び第２の主表面、並びに第１の主表面及び第２の主表面を通過する少なくとも１つの開口部を有する第１の折畳み可能ヒンジであって、第１の折畳み可能ヒンジによって第１の区域が第２の区域に連結される、第１の折畳み可能ヒンジとを具備し、（ｉ）第１の折畳み可能ヒンジが折り畳まれたとき、第１の区域上の複数の横材及び第２の区域上の複数の横材が、並列に位置合わせされて互いに接触する。一実施形態では、支持・ドレネージ要素は、（ｄ）第１の主表面及び第２の主表面を有する少なくとも１つの第３の区域であって、第１の主表面及び第２の主表面が、平行なフランジの列を具備し、平行なフランジの列が、第１の主表面及び第２の主表面を通過する開口部によって互いから隔置され、少なくとも１つの第３の区域が、平行なフランジを通過する複数の開口部及び／又はスロットをさらに具備し、少なくとも１つの第３の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第３の区域と、（ｅ）第１の主表面及び第２の主表面を有する少なくとも１つの第４の区域であって、第１の主表面及び第２の主表面が、平行なフランジの列を具備し、平行なフランジの列が、第１の主表面及び第２の主表面を通過する開口部によって互いから隔置され、少なくとも１つの第４の区域が、平行なフランジを通過する複数の開口部及び／又はスロットをさらに具備し、少なくとも１つの第４の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第４の区域と、（ｆ）第１の主表面及び第２の主表面、並びに第１の主表面及び第２の主表面を通過する開口部を有する第２の折畳み可能ヒンジであって、第２の折畳み可能ヒンジによって第３の区域が第４の区域に連結される、第２の折畳み可能ヒンジと、（ｇ）第１の主表面及び第２の主表面、並びに第１の主表面及び第２の主表面を通過する少なくとも１つの開口部を有する第３の折畳み可能ヒンジであって、第３の折畳み可能ヒンジによって第３の区域が第２の区域に連結される、第３の折畳み可能ヒンジとをさらに具備し、（ｉｉ）第２の折畳み可能ヒンジが折り畳まれたとき、第３の区域上の複数の横材及び第４の区域上の複数の横材が、並列に位置合わせされて互いに接触する。
【０００６】
[0006]支持・ドレネージ要素の別の実施形態は、フレームを具備し、フレームは、（ａ）第１の主表面及び第２の主表面を有する第１の区域を具備し、第１の主表面及び第２の主表面が、平行なフランジの列を具備し、平行なフランジの列が、第１の主表面及び第２の主表面を通過する開口部によって互いから隔置され、第１の区域が、平行なフランジを通過する複数の開口部及び／又はスロットをさらに具備し、少なくとも１つの第１の区域が、平行に配置され且つ第１の主表面から上方へ第１の主表面に直交して突出する複数のずれていない横材を有し、各横材が、その横材を通過する少なくとも１つのスロット及び／又は開口部を含み、これらの横材が、（ｂ）第１の主表面及び第２の主表面を有する第２の区域に連結され、第１の主表面及び第２の主表面が、平行なフランジの列を具備し、平行なフランジの列が、第１の主表面及び第２の主表面を通過する開口部によって互いから隔置され、第２の区域が、平行なフランジを通過する複数の開口部及び／又はスロットをさらに具備し、支持・ドレネージ要素が、各々が第１の主表面及び第２の主表面、並びに第１の主表面及び第２の主表面を通過する少なくとも１つの開口部を有する隔置された湾曲連結部の平行な列をさらに具備し、湾曲連結部によって第１の区域が第２の区域に連結される。
【０００７】
[0007]いくつかの実施形態では、支持・ドレネージ要素は、少なくとも１つの第１の区域及び／又は少なくとも１つの第２の区域に連結された湾曲延長部をさらに具備し、湾曲延長部は、複数の開口部を含む。
【０００８】
[0008]いくつかの実施形態では、支持・ドレネージ要素が折り畳まれたとき、第１の区域上の複数の横材が、第２の区域の第１の主表面に接触し、第２の区域上の複数の横材が、第１の区域の第１の主表面に接触し、第３の区域上の複数の横材が、第４の区域の第１の主表面に接触し、第４の区域上の複数の横材が、第３の区域の第１の主表面に接触する。
【０００９】
[0009]支持・ドレネージ要素の実施形態は、少なくとも１つの追加の第１の区域、少なくとも１つの追加の第２の区域、及び少なくとも１つの追加の第１の区域を少なくとも１つの追加の第２の区域に連結する少なくとも１つの追加の第１の折畳み可能ヒンジ、並びに追加の第１の区域を少なくとも１つの第４の区域に連結する少なくとも１つの追加の第３の折畳み可能ヒンジを含むことができる。
【００１０】
[0010]本発明の一実施形態によるフィルタ装置は、上流面及び下流面、並びに複数のプリーツを有するプリーツ付き多孔質フィルタメディアであって、各プリーツが、上流面及び下流面を有する、プリーツ付き多孔質フィルタメディアと、支持・ドレネージ要素システムの一実施形態とを具備し、第１の区域又は第２の区域が、プリーツの上流面又は下流面に接触し、第１の区域上の複数の横材及び第２の区域上の複数の横材が、並列に位置合わせされて互いに接触する。
【００１１】
[0011]本発明の別の実施形態によるフィルタ装置は、複数のプリーツを有するプリーツ付き多孔質フィルタメディアであって、各プリーツが、上流面及び下流面を有する、プリーツ付き多孔質フィルタメディアと、本発明の一実施形態による少なくとも１つの支持・ドレネージ要素とを具備し、第１の折畳み可能ヒンジが折り畳まれ、プリーツの上流面又は下流面が、第１の区域の第２の主表面及び第２の区域の第２の主表面に接触している。
【００１２】
[0012]別の実施形態では、本発明の一実施形態による第１及び第２の別個の支持・ドレネージ要素を具備する支持・ドレネージ要素システムが提供され、第１の別個の支持・ドレネージ要素が、上流の支持・ドレネージ要素を具備し、第２の別個の支持・ドレネージ要素が、下流の支持・ドレネージ要素を具備する。
【００１３】
[0013]さらに別の実施形態では、支持・ドレネージ要素システムが、本発明の一実施形態による複数の第１及び第２の別個の支持・ドレネージ要素を具備し、複数の第１及び第２の別個の支持・ドレネージ要素の各々が、複数のプリーツを有するプリーツ付き多孔質フィルタメディアのうちの個々のプリーツの上流及び／又は下流での使用に適した別個のインサートを具備する。
【００１４】
[0014]本発明の一実施形態によるフィルタシステムは、複数のプリーツを有する少なくとも１つのプリーツ付き多孔質フィルタメディアを具備するプリーツ付き多孔質フィルタと、支持・ドレネージ要素システムの一実施形態とを具備し、プリーツ付き多孔質フィルタが、上流の支持・ドレネージ要素と下流の支持・ドレネージ要素との間に配置される。
【００１５】
[0015]本発明の別の実施形態によるフィルタシステムは、複数のプリーツを有するプリーツ付き多孔質フィルタメディアを具備するプリーツ付き多孔質フィルタと、支持・ドレネージ要素システムの一実施形態とを具備し、各プリーツが、そのプリーツの上流及び下流に配置されたインサートを具備する別個の支持・ドレネージ要素を有する。
【００１６】
[0016]流体を濾過する方法の実施形態もまた提供され、この方法は、フィルタシステムの一実施形態に流体を通すステップを含み、上流の支持・ドレネージ要素、プリーツ付き多孔質フィルタ、及び下流の支持・ドレネージ要素に流体を通すこと、又はフィルタシステムの一実施形態に流体を通すことを含み、上流の支持・ドレネージ要素インサート、プリーツ、及び下流の支持・ドレネージ要素インサートに流体を通すことを含む。
【図面の簡単な説明】
【００１７】
【図１】複数の区域、開口部を有するヒンジ、開口部を有する隔置された平行なフランジの列、及びスロットを有するずれた横材を示す、支持・ドレネージ要素の一実施形態の上面図である。
【図２】第１の折畳み可能ヒンジによって第１の区域の一部が第２の区域の一部に連結され、これらの区域がずれた横材を有することを示す、図１に示す支持・ドレネージ要素の実施形態の細部Ｃの図である。
【図３】第２の折畳み可能ヒンジによって第３の区域の一部が第４の区域の一部に連結され、これらの区域がずれた横材を有することを示す、図１に示す支持・ドレネージ要素の実施形態の細部Ｄの図である。
【図４】図１に示す支持・ドレネージ要素の実施形態の正面図である。
【図５】第３及び第４の区域内の上方へ突出するずれた横材を示す、図１に示す支持・ドレネージ要素の実施形態の直交図である。
【図６】第２の折畳み可能ヒンジによって第３の区域の一部が第４の区域の一部に連結され、これらの区域がずれた横材を有することを示す、図５に示す支持・ドレネージ要素の実施形態の細部Ｅの図である。
【図７】要素が部分的に折り畳まれた、図１に示す支持・ドレネージ要素の実施形態の斜視図である。
【図８Ａ】要素が完全に折り畳まれており、異なる区域からのずれた横材が互いに接触して並列に位置合わせされていることを示す、図１に示す支持・ドレネージ要素の実施形態の斜視図である。
【図８Ｂ】異なる区域からのずれた横材が並列に位置合わせされて互いに接触するときに形成される略「Ｉ型横材」形状を示す、図８Ａに示す拡大細部の拡大図である。
【図９Ａ】支持・ドレネージ要素がプリーツ付き多孔質フィルタ要素の上流及び下流に配置され、支持・ドレネージ要素が部分的に折り畳まれている、本発明の別の実施形態によるフィルタの斜視図である。
【図９Ｂ】図９Ａの上面図である。
【図９Ｃ】図９Ａの右側面図である。
【図１０】図９に示すフィルタの実施形態の側面図である。
【図１１Ａ】支持・ドレネージ要素が完全に折り畳まれており、フィルタプリーツ根元の支持を提供する第１のヒンジ、及びフィルタプリーツ先端の保護を提供する第２のヒンジを示す、図９に示すフィルタの実施形態の斜視図である。
【図１１Ｂ】図１１Ａに示すフィルタの実施形態に示し、異なる区域からずれた横材が互いに接触して並列に位置合わせされていることを示す、細部Ａの拡大図である。
【図１１Ｃ】図１１Ａのプリーツ根元の支持を示す、細部Ｍの拡大図である。
【図１２Ａ】第１の区域の一部が第２の区域の一部に連結され、支持・ドレネージ要素がインサートであり、この要素が、第１の区域に連結された湾曲延長部をさらに具備し、湾曲延長部が、複数の開口部を含むことを示す、支持・ドレネージ要素の別の実施形態の等角図である。
【図１２Ｂ】図１２Ａに示す要素の側面図である。
【図１２Ｃ】上面図である。
【図１２Ｄ】図１２Ｂに示す要素の断面Ｔ−Ｔの図である。
【図１３Ａ】支持・ドレネージ要素システムの一実施形態を含む、複数のプリーツを有するプリーツ付きフィルタを具備し、各プリーツが、プリーツの上流及び下流に配置されたインサートを具備する別個の支持・ドレネージ要素を有する、フィルタシステムの一実施形態の断面図である。
【図１３Ｂ】図１３Ａに示すフィルタシステム／支持・ドレネージ要素システムの等角反転図である。
【図１４】プリーツ付きフィルタがレイドオーバープリーツ（ＬＯＰ）構成を有し、フィルタコア及び外側ケージ（矢印は流体流を示す）も具備するフィルタカートリッジとして示されているプリーツ付きフィルタも示す、図１３Ｂに概略的に示す支持・ドレネージシステム及びフィルタシステムの断面図である。
【発明を実施するための形態】
【００１８】
[0031]本発明の一実施形態は、フレームを具備する支持・ドレネージ要素を提供し、フレームは、（ａ）第１の主表面及び第２の主表面を有する少なくとも１つの第１の区域を具備し、第１の主表面及び第２の主表面が、平行なフランジの列を具備し、平行なフランジの列が、第１の主表面及び第２の主表面を通過する開口部によって互いから隔置され、少なくとも１つの第１の区域が、平行なフランジを通過する複数の開口部及び／又はスロットをさらに具備し、少なくとも１つの第１の区域が、平行に配置され且つ第１の主表面から上方へ第１の主表面に直交して突出する複数の横材を有し、各横材が、その横材を通過する少なくとも１つのスロット及び／又は開口部を含む。一実施形態では、支持・ドレネージ要素は、支持・ドレネージ要素システムの一実施形態に含まれ、このシステムは、（ｂ）第１の主表面及び第２の主表面を有する少なくとも１つの第２の区域をさらに具備し、第１の主表面及び第２の主表面が、平行なフランジの列を具備し、平行なフランジの列が、第１の主表面及び第２の主表面を通過する開口部によって互いから隔置され、少なくとも１つの第２の区域が、平行なフランジを通過する複数の開口部及び／又はスロットをさらに具備し、少なくとも１つの第２の区域が、平行に配置され且つ第１の主表面から上方へ第１の主表面に直交して突出する複数の横材を有し、各横材が、その横材を通過する少なくとも１つのスロット及び／又は開口部を含む。
【００１９】
[0032]別の実施形態では、フレームを具備する支持・ドレネージ要素が提供され、フレームは、（ａ）第１の主表面及び第２の主表面を有する少なくとも１つの第１の区域であって、第１の主表面及び第２の主表面が、平行なフランジの列を具備し、平行なフランジの列が、第１の主表面及び第２の主表面を通過する開口部によって互いから隔置され、少なくとも１つの第１の区域が、平行なフランジを通過する複数の開口部及び／又はスロットをさらに具備し、少なくとも１つの第１の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第１の区域と、（ｂ）第１の主表面及び第２の主表面を有する少なくとも１つの第２の区域であって、第１の主表面及び第２の主表面が、平行なフランジの列を具備し、平行なフランジの列が、第１の主表面及び第２の主表面を通過する開口部によって互いから隔置され、少なくとも１つの第２の区域が、平行なフランジを通過する複数の開口部及び／又はスロットをさらに具備し、少なくとも１つの第２の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第２の区域と、（ｃ）第１の主表面及び第２の主表面、並びに第１の主表面及び第２の主表面を通過する少なくとも１つの開口部を有する第１の折畳み可能ヒンジであって、第１の折畳み可能ヒンジによって第１の区域が第２の区域に連結される、第１の折畳み可能ヒンジとを具備し、（ｉ）第１の折畳み可能ヒンジが折り畳まれたとき、第１の区域上の複数の横材及び第２の区域上の複数の横材が、並列に位置合わせされて互いに接触する。一実施形態では、支持・ドレネージ要素は、（ｄ）第１の主表面及び第２の主表面を有する少なくとも１つの第３の区域であって、第１の主表面及び第２の主表面が、平行なフランジの列を具備し、平行なフランジの列が、第１の主表面及び第２の主表面を通過する開口部によって互いから隔置され、少なくとも１つの第３の区域が、平行なフランジを通過する複数の開口部及び／又はスロットをさらに具備し、少なくとも１つの第３の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第３の区域と、（ｅ）第１の主表面及び第２の主表面を有する少なくとも１つの第４の区域であって、第１の主表面及び第２の主表面が、平行なフランジの列を具備し、平行なフランジの列が、第１の主表面及び第２の主表面を通過する開口部によって互いから隔置され、少なくとも１つの第４の区域が、平行なフランジを通過する複数の開口部及び／又はスロットをさらに具備し、少なくとも１つの第４の区域が、平行に配置され且つ第１の主表面から上方へ第１の主表面に直交して突出する複数の横材を有し、各横材が、その横材を通過する少なくとも１つのスロット及び／又は開口部を含む、少なくとも１つの第４の区域と、（ｆ）第１の主表面及び第２の主表面、並びに第１の主表面及び第２の主表面を通過する開口部を有する第２の折畳み可能ヒンジであって、第２の折畳み可能ヒンジによって第３の区域が第４の区域に連結される、第２の折畳み可能ヒンジと、（ｇ）第１の主表面及び第２の主表面、並びに第１の主表面及び第２の主表面を通過する少なくとも１つの開口部を有する第３の折畳み可能ヒンジであって、第３の折畳み可能ヒンジによって第３の区域が第２の区域に連結される、第３の折畳み可能ヒンジとをさらに具備し、（ｉｉ）第２の折畳み可能ヒンジが折り畳まれたとき、第３の区域上の複数の横材及び第４の区域上の複数の横材が、並列に位置合わせされて互いに接触する。
【００２０】
[0033]支持・ドレネージ要素の別の実施形態は、フレームを具備し、フレームは、（ａ）第１の主表面及び第２の主表面を有する第１の区域を具備し、第１の主表面及び第２の主表面が、平行なフランジの列を具備し、平行なフランジの列が、第１の主表面及び第２の主表面を通過する開口部によって互いから隔置され、第１の区域が、平行なフランジを通過する複数の開口部及び／又はスロットをさらに具備し、少なくとも１つの第１の区域が、平行に配置され且つ第１の主表面から上方へ第１の主表面に直交して突出する複数のずれていない横材を有し、各横材が、その横材を通過する少なくとも１つのスロット及び／又は開口部を含み、これらの横材が、（ｂ）第１の主表面及び第２の主表面を有する第２の区域に連結され、第１の主表面及び第２の主表面が、平行なフランジの列を具備し、平行なフランジの列が、第１の主表面及び第２の主表面を通過する開口部によって互いから隔置され、第２の区域が、平行なフランジを通過する複数の開口部及び／又はスロットをさらに具備し、支持・ドレネージ要素が、各々が第１の主表面及び第２の主表面、並びに第１の主表面及び第２の主表面を通過する少なくとも１つの開口部を有する隔置された湾曲連結部の平行な列をさらに具備し、湾曲連結部によって第１の区域が第２の区域に連結される。
【００２１】
[0034]いくつかの実施形態では、支持・ドレネージ要素は、少なくとも１つの第１の区域及び／又は少なくとも１つの第２の区域に連結された湾曲延長部をさらに具備し、湾曲延長部は、複数の開口部を含む。
【００２２】
[0035]いくつかの実施形態では、支持・ドレネージ要素が折り畳まれたとき、第１の区域上の複数の横材が、第２の区域の第１の主表面に接触し、第２の区域上の複数の横材が、第１の区域の第１の主表面に接触し、第３の区域上の複数の横材が、第４の区域の第１の主表面に接触し、第４の区域上の複数の横材が、第３の区域の第１の主表面に接触する。
【００２３】
[0036]支持・ドレネージ要素の実施形態は、少なくとも１つの追加の第１の区域、少なくとも１つの追加の第２の区域、及び少なくとも１つの追加の第１の区域を少なくとも１つの追加の第２の区域に連結する少なくとも１つの追加の第１の折畳み可能ヒンジ、並びに追加の第１の区域を少なくとも１つの第４の区域に連結する少なくとも１つの追加の第３の折畳み可能ヒンジを含むことができる。
【００２４】
[0037]本発明の一実施形態によるフィルタ装置は、複数のプリーツを有するプリーツ付き多孔質フィルタメディアであって、各プリーツが、上流面及び下流面を有する、プリーツ付き多孔質フィルタメディアと、支持・ドレネージ要素システムの一実施形態とを具備し、第１の区域又は第２の区域が、プリーツの上流面又は下流面に接触し、第１の区域上の複数の横材及び第２の区域上の複数の横材が、並列に位置合わせされて互いに接触する。
【００２５】
[0038]本発明の別の実施形態によるフィルタ装置は、上流面及び下流面、並びに複数のプリーツを有するプリーツ付き多孔質フィルタメディアであって、各プリーツが、上流面及び下流面を有する、プリーツ付き多孔質フィルタメディアと、本発明の一実施形態による少なくとも１つの支持・ドレネージ要素とを具備し、第１の折畳み可能ヒンジが折り畳まれ、プリーツの上流面又は下流面が、第１の区域の第２の主表面及び第２の区域の第２の主表面に接触している。
【００２６】
[0039]別の実施形態では、本発明の一実施形態による第１及び第２の別個の支持・ドレネージ要素を具備する支持・ドレネージ要素システムが提供され、第１の別個の支持・ドレネージ要素が、上流の支持・ドレネージ要素を具備し、第２の別個の支持・ドレネージ要素が、下流の支持・ドレネージ要素を具備する。
【００２７】
[0040]さらに別の実施形態では、支持・ドレネージ要素システムが、本発明の一実施形態による複数の第１及び第２の別個の支持・ドレネージ要素を具備し、複数の第１及び第２の別個の支持・ドレネージ要素の各々が、複数のプリーツを有するプリーツ付き多孔質フィルタメディアのうちの個々のプリーツの上流及び／又は下流での使用に適した別個のインサートを具備する。
【００２８】
[0041]本発明の一実施形態によるフィルタシステムは、複数のプリーツを有する少なくとも１つのプリーツ付き多孔質フィルタメディア、を具備するプリーツ付き多孔質フィルタと、支持・ドレネージ要素システムの一実施形態とを具備し、プリーツ付き多孔質フィルタが、上流の支持・ドレネージ要素と下流の支持・ドレネージ要素との間に配置される。
【００２９】
[0042]本発明の別の実施形態によるフィルタシステムは、複数のプリーツを有するプリーツ付き多孔質フィルタメディアを具備するプリーツ付き多孔質フィルタと、支持・ドレネージ要素システムの一実施形態とを具備し、各プリーツが、そのプリーツの上流及び下流に配置されたインサートを具備する別個の支持・ドレネージ要素を有する。
【００３０】
[0043]流体を濾過する方法の実施形態もまた提供され、この方法は、フィルタシステムの一実施形態に流体を通すステップを含み、上流の支持・ドレネージ要素、プリーツ付き多孔質フィルタ、及び下流の支持・ドレネージ要素に流体を通すこと、又はフィルタシステムの一実施形態に流体を通すことを含み、上流の支持・ドレネージ要素インサート、プリーツ、及び下流の支持・ドレネージ要素インサートに流体を通すことを含む。
【００３１】
[0044]支持・ドレネージ材は、フィルタメディア（プリーツ付き又はプリーツなし）の層同士の間に配置されたとき、支持及び均一の間隔を提供しながら（対向する表面のメッシュにおけるストランドが互いに重なり合うのではなく互いの間に嵌合する入れ子状態を低減又は防止することを含む）、低減された沿層方向の流れ抵抗を呈し（したがって支持・ドレネージ材内の圧力降下が、フィルタ要素における圧力降下より小さくなる）、以てフィルタ要素の表面における流体の均等の分布及び低減された表面損失を提供することが有利な点である。たとえば、エッジフロー抵抗（従来の支持・ドレネージ材を有するフィルタと比較）を約２分の１以下低減させることが可能である。
【００３２】
[0045]プリーツ付きフィルタとともに使用されるとき、支持・ドレネージ材は、フィルタメディアの損傷（特に、膜の損傷）を低減させ、より均一の流れ分布（フィルタのプリーツ付き先端を通る流れを含む）を可能にし、安定したプリーツパックを提供することができる。さらに、ヒンジを含む支持・ドレネージ材が、従来のプリーツ加工デバイスに適合する。
【００３３】
[0046]さらに、プリーツ付きフィルタとともに使用されるとき、プリーツ間で単一の支持・ドレネージインサートを使用することで、全体的により細いプリーツピッチが得られ、所与の体積につきより多くのフィルタ材を得ることを可能にしながら、望ましい差圧を維持し、濾過効率を改善することができる。
【００３４】
[0047]本発明の各構成要素について、以下でより詳細に次に説明し、同様の構成要素は同様の参照番号を有する。上流及び下流のＳ＆Ｄ材がそれぞれ同じ構成要素で示されている場合、対応する構成要素は、類似の参照番号とそれに続く「’」によって識別され（たとえば、１００’は１００に対応し、２００’は２００に対応し、１０００’は１０００に対応し、１００Ａ’は１００Ａに対応し、２００Ａ’は２００Ａに対応し、１０００Ａ’は１０００Ａに対応し、以下同様である）。
【００３５】
[0048]図１に示す例示的な実施形態（特定の構成要素は、図２〜６により詳細に示す）では、支持・ドレネージ要素１０００は、フレーム５００を具備し、フレーム５００は、各々が第１の主表面１０１及び第２の主表面１０２を有する複数の第１の区域１００であって、第１の主表面及び第２の主表面が、横方向交差部材１３５によって連結された平行なフランジ１３０の列１２０を具備し、平行なフランジの列が、第１の主表面及び第２の主表面を通過する開口部１４０によって互いから隔置され、各々の第１の区域１００が、平行なフランジ１３０を通過する複数の開口部１３１及び／又はスロット１３２をさらに具備し、各々の第１の区域１００が、平行に配置され且つ第１の主表面から上方へ第１の主表面に直交して突出する複数の横材１５０（ずれた横材１５０Ａ、１５０Ｂ）を有し、各横材が、その横材を通過する少なくとも１つのスロット１５１及び／又は開口部を含む、複数の第１の区域１００と、各々が第１の主表面２０１及び第２の主表面２０２を有する複数の第２の区域２００であって、第１の主表面及び第２の主表面が、横方向交差部材２３５によって連結された平行なフランジ２３０の列２２０を具備し、平行なフランジの列が、第１の主表面及び第２の主表面を通過する開口部２４０によって互いから隔置され、各々の第２の区域２００が、平行なフランジ２３０を通過する複数の開口部２３１及び／又はスロット２３２をさらに具備し、各々の第２の区域が、平行に配置され且つ第１の主表面から上方へ第１の主表面に直交して突出する複数の横材２５０（ずれた横材２５０Ａ、２５０Ｂ）を有し、各横材が、その横材を通過する少なくとも１つのスロット２５１及び／又は開口部を含む、複数の第２の区域２００と、各々が第１の主表面６０１及び第２の主表面６０２、並びに第１の主表面及び第２の主表面を通過する少なくとも１つの開口部６３１を有する第１の折畳み可能ヒンジ６００の平行な列であって、ヒンジ６００が、第１の主表面及び第２の主表面を通過する開口部６４０（開口部６４０は典型的に、開口部６３１より大きい）によって互いから隔置され、第１の折畳み可能ヒンジによって第１の区域１００が第２の区域２００に連結される、第１の折畳み可能ヒンジ６００の平行な列とを具備し、第１の折畳み可能ヒンジ６００が折り畳まれたとき（図８に示す。図９、図１１Ａ、及び図１１Ｂも参照されたい）、第１の区域上の複数の横材１５０及び第２の区域上の複数の横材２５０が、並列に位置合わせされて互いに接触する（「Ｉ型横材」の外観を提供する）。
【００３６】
[0049]図１に示す実施形態では、支持・ドレネージ要素１０００は、各々が第１の主表面３０１及び第２の主表面３０２を有する複数の第３の区域３００であって、第１の主表面及び第２の主表面が、横方向交差部材３３５によって連結された平行なフランジ３３０の列３２０を具備し、平行なフランジの列が、第１の主表面及び第２の主表面を通過する開口部３４０によって互いから隔置され、各々の第３の区域が、平行なフランジを通過する複数の開口部３３１及び／又はスロット３３２をさらに具備し、各々の第３の区域が、平行に配置され且つ第１の主表面から上方へ第１の主表面に直交して突出する複数の横材３５０（ずれた横材３５０Ａ、３５０Ｂ）を有し、各横材が、その横材を通過する少なくとも１つのスロット３５１及び／又は開口部を含む、複数の第３の区域３００と、各々が第１の主表面４０１及び第２の主表面４０２を有する複数の第４の区域４００であって、第１の主表面及び第２の主表面が、横方向交差部材４３５によって連結された平行なフランジ４３０の列４２０を具備し、平行なフランジの列が、第１の主表面及び第２の主表面を通過する開口部４４０によって互いから隔置され、各々の第４の区域が、平行なフランジを通過する複数の開口部４３１及び／又はスロット４３２をさらに具備し、各々の第４の区域が、平行に配置され且つ第１の主表面から上方へ第１の主表面に直交して突出する複数の横材４５０（ずれた横材４５０Ａ、４５０Ｂ）を有し、各横材が、その横材を通過する少なくとも１つのスロット４５１及び／又は開口部を含む、複数の第４の区域４００と、各々が第１の主表面７０１及び第２の主表面７０２、並びに第１の主表面及び第２の主表面を通過する少なくとも１つの開口部７３１を有する第２の折畳み可能ヒンジ７００の平行な列であって、ヒンジ７００が、第１の主表面及び第２の主表面を通過する開口部７４０（開口部７４０は典型的に、開口部７３１より大きい）によって互いから隔置され、第２の折畳み可能ヒンジによって第３の区域が第４の区域に連結される、第２の折畳み可能ヒンジ７００の平行な列と、各々が第１の主表面８０１及び第２の主表面８０２、並びに第１の主表面及び第２の主表面を通過する少なくとも１つの開口部８３１を有する第３の折畳み可能ヒンジ８００の平行な列であって、ヒンジ８００が、第１の主表面及び第２の主表面を通過する開口部８４０（開口部８４０は典型的に、開口部８３１より大きい）によって互いから隔置され、第３の折畳み可能ヒンジによって第３の区域が第２の区域に連結される、第３の折畳み可能ヒンジ８００の平行な列とをさらに具備し、第２の折畳み可能ヒンジが折り畳まれたとき（図８に示す）、第３の区域上の複数の横材３５０及び第４の区域上の複数の横材４５０が、並列に位置合わせされて互いに接触する。
【００３７】
[0050]これらの図示の実施形態は、個々の横方向交差部材（たとえば、１３５、２３５、３３５、４３５）を含むが、いくつかの実施形態（たとえば、図１２Ｃに示す）では、たとえば横方向の安定性を増大させるために、開口部によって分離された２つ以上の交差部材を利用することができる。
【００３８】
[0051]所望される場合、これらの区域の１つ若しくは複数、又はすべてが、先細りした構成を有することができ、たとえば表面１０１及び１０２の厚さの差を、区域１００の一端でその区域の他端より小さくすることができる（図示せず）。
【００３９】
[0052]図１に示す実施形態は、第１、第２、第３、及び第４の区域の各々のうちの２つ以上を示すが、本発明の実施形態は、第１、第２、第３、及び第４の区域の各々のうちの１つ、又はこれらの区域のうちの任意の数の区域の任意の組合せを有することができ、たとえば１つの区域の数（複数可）は、他の区域のいずれかの数（複数可）に等しくなくてもよいことが明らかなはずである。さらに、以下でより詳細に論じるように、本発明のいくつかの実施形態では、支持・ドレネージ要素にはヒンジがない。
【００４０】
[0053]典型的には、第１の区域の数が第２の区域の数に等しく、第３の区域の数が第４の区域の数に等しい。典型的には、参考のために図１及び図８〜図１０に示す実施形態を使用すると、１つ又は複数の支持・ドレネージ要素がプリーツ付き多孔質フィルタとともに配置され（上流及び／又は下流）、図９Ａ〜図９Ｃ及び図１０で２つのプリーツを有するフィルタを示すそれらの実施形態では、支持・ドレネージ要素は、長さ方向に延ばされ、追加のプリーツに対して図１に示す区域の配置を繰り返す。したがって、支持・ドレネージ要素は、少なくとも１つの追加の第１の区域、少なくとも１つの追加の第２の区域、並びに追加の第１の区域を追加の第２の区域に連結する少なくとも１つの追加の第１の折畳み可能ヒンジ、及び追加の第１の区域を図１に示す端部の第４の区域４００に連結する少なくとも１つの追加の第３の折畳み可能ヒンジを含むはずであり、さらに別の第３の折畳み可能ヒンジによって追加の第３の区域が追加の第１の区域に連結されるはずであり、以下同様である。
【００４１】
[0054]図１に示す実施形態では、第１のヒンジ６００及び第２のヒンジ７００は、第３のヒンジ８００より短く、開口部６３１及び７３１は、開口部８３１より小さいが、いくつかの実施形態では、これらのヒンジ及び開口部のサイズは等しい。以下でより詳細に論じるように、１つ又は複数の支持・ドレネージ要素がプリーツ付き多孔質フィルタとともに配置される（上流及び／又は下流）いくつかの実施形態では、折畳み可能ヒンジが、プリーツ根元の支持（内方へ折り畳まれたとき。たとえば図１１Ｃ参照）、及び／又はプリーツ先端の保護（外方へ折り畳まれたとき。たとえば図１１Ｂ参照）を提供することができ、これらのヒンジ内の開口部（複数可）は、流体がプリーツ根元及び／又はプリーツ先端を流れることを可能にする。
【００４２】
[0055]典型的には、各区域は、フランジの列に取り付けられた少なくとも２つの横材を具備する少なくとも１つの列を有し（フランジは好ましくは、横材のウェブの幅の少なくとも２倍である）、これらの横材はずれており、したがって支持・ドレネージ要素が折り畳まれたとき、１つの区域内の１組の横材の側面が、別の区域内の別の組の横材の側面に接触し（たとえば、横材１５０Ａの一方の側面が、横材２５０Ｂの一方の側面に接触し、横材１５０Ｂの一方の側面が、横材２５０Ａの一方の側面に接触し、一方の区域上の横材の先端が、他方の区域の第１の主表面に接触し、たとえば図１１Ａ及び図１１Ｂは、横材３５０Ａの一方の側面が、横材４５０Ｂの一方の側面に接触することを示す）、追加の安定性を提供する。好ましくは、各区域は、フレームの幅を横切って分散されているずれた横材の少なくとも２つの平行な列を有し、したがって支持・ドレネージ要素が折り畳まれたときにこれらの区域が横方向に移動する可能性を防止又は最小化する。列及び間隔の数は、たとえばフィルタメディア強度、差圧、及び流量に応じて、当業者であれば調整することができる。
【００４３】
[0056]所望される場合、これらの横材は、開口部及び／又はスロットを含むことができる。好ましくは、図示の実施形態に示すように、これらの横材は、１つ又は複数の垂直なスロットを含み、したがって改善された長手方向の可撓性を提供し、支持・ドレネージ要素が湾曲した形状、たとえば重ね合わせたプリーツになることを可能にする。
【００４４】
[0057]支持・ドレネージ要素の実施形態は、少なくとも１つの多孔質フィルタ要素を具備する多孔質フィルタの上流及び／又は下流に配置することができる。いくつかの実施形態では、支持・ドレネージ要素は、上流の支持・ドレネージ要素及び下流の支持・ドレネージ要素を具備する支持・ドレネージ要素システムを具備する。
【００４５】
[0058]例証として、図９Ａ及び図１０は、支持・ドレネージ要素システム２５００を具備する下流の支持・ドレネージ要素１０００（図１に概略的に示す）と上流の支持・ドレネージ要素１０００’（図１に示すものに類似）との間に配置された少なくとも１つのプリーツ付き多孔質フィルタ要素を具備するプリーツ付き多孔質フィルタ１５００を具備するフィルタシステム２０００を示す。
【００４６】
[0059]図１２Ａ〜図１２Ｃ、図１３Ａ〜図１３Ｂ、及び図１４（集合的に図１２〜図１４と呼ぶ）は、本発明の別の実施形態による支持・ドレネージ要素を示し、支持・ドレネージ要素は、プリーツ付きフィルタの個々のプリーツの上流及び／又は下流に配置された個々のインサートを具備する。図１３Ａ〜図１３Ｂ、及び図１４はまた、支持・ドレネージ要素システム２５００Ａの実施形態と、個々のインサートを具備する支持・ドレネージ要素の実施形態を含むフィルタシステム２０００Ａとを示す。
【００４７】
[0060]たとえば折畳み可能ヒンジ、並びに第１の区域１００及び第２の区域２００を有し、各々がずれた横材を有し、したがって折り畳まれた後、１つの区域内の１組の横材の側面が別の区域内の別の組の横材の側面に接触する、図１、図５、及び図８に示す実施形態とは対照的に、インサートの実施形態は、折り畳まれて第２の区域２００に接触する第１の区域１００に類似した全体的な外観を有しながら、２つの区域を連結する単一の固体片として形成された共通の１組のずれていない横材のみを有し、これらの区域はまた、折畳み可能ヒンジではなく連結部によって連結される。
【００４８】
[0061]インサートの以下の議論では、話を簡単にするために、実施形態について、横材を具備する第１の区域及び横材のない第２の区域を有するものとして説明する。しかし、これらのインサートは共通の１組の横材を有するため、いずれか一方の区域又は両方の区域が横材を有することができることが明らかなはずである。
【００４９】
[0062]図１２〜図１４に示す実施形態では、支持・ドレネージ要素１０００Ａは、フレーム５００Ａを具備し、フレーム５００Ａは、各々が第１の主表面１０１Ａ及び第２の主表面１０２Ａを有する複数の第１の区域１００Ａであって、第１の主表面及び第２の主表面が、横方向交差部材１３５Ａによって連結された平行なフランジ１３０Ａの列１２０Ａを具備し、平行なフランジの列が、第１の主表面及び第２の主表面を通過する開口部１４０Ａによって互いから隔置され、各々の第１の区域１００Ａが、平行なフランジ１３０Ａを通過する複数の開口部１３１Ａ及び／又はスロット１３２Ａをさらに具備し、各々の第１の区域１００Ａが、平行に配置され且つ第１の主表面から上方へ第１の主表面に直交して突出する複数のずれていない横材１５０を有し、各横材が、その横材を通過する少なくとも１つのスロット１５１Ａ及び／又は開口部を含む、複数の第１の区域１００Ａと、各々が第１の主表面２０１Ａ及び第２の主表面２０２Ａを有する複数の第２の区域２００Ａであって、第１の主表面及び第２の主表面が、横方向交差部材２３５Ａによって連結された平行なフランジ２３０Ａ（図１２Ａ参照）の列２２０Ａを具備し、平行なフランジの列が、第１の主表面及び第２の主表面を通過する開口部２４０Ａによって互いから隔置され、各々の第２の区域２００Ａが、平行なフランジ２３０Ａを通過する複数の開口部２３１Ａ及び／又はスロット２３２Ａをさらに具備する、複数の第２の区域２００Ａと、各々が第１の主表面９０１Ａ及び第２の主表面９０２Ａ、並びに第１の主表面及び第２の主表面を通過する少なくとも１つの開口部９３１Ａを有する湾曲連結部９００Ａの平行な列であって、湾曲連結部９００Ａが、第１の主表面及び第２の主表面を通過する開口部９４０Ａ（開口部９４０Ａは典型的に、開口部９３１Ａより大きい）によって互いから隔置され、連結部９００Ａによって第１の区域１００Ａの端部が第２の区域２００Ａの端部に連結される、湾曲連結部９００Ａの平行な列とを具備し、たとえば図１３Ｂに示すように、第１の区域及び第２の区域を連結する複数の横材１５０が、「Ｉ型横材」の外観を提供する。湾曲延長部又は端部１６１Ａ（以下に論じる）を除いて、第１の区域１００Ａ及び第２の区域２００Ａは、類似の構造を有し、「１＊＊Ａ」（第１の区域）及び「２＊＊Ａ」（第２の区域）として識別される。
【００５０】
[0063]図１２〜図１４に示す実施形態では、支持・ドレネージ要素の一端は、複数の開口部１７０（１７０Ａ及び１７０Ｂとして示し、１７０Ｂは１７０Ａより大きい）を含む湾曲延長部又は端部１６１Ａを含む。たとえば図１３Ａ、図１３Ｂ、及び図１４に示すように、湾曲延長部は、プリーツ先端の保護を提供しながら、流体流が通るのを可能にすることができる。
【００５１】
[0064]図１３及び図１４は、支持・ドレネージ要素システム２５００Ａの実施形態と、プリーツ付き多孔質フィルタ要素１５０１を具備するプリーツ付き多孔質フィルタ１５００の上流及び下流に配置された個々のインサートを具備する支持・ドレネージ要素１０００Ａ、１０００ａ’の実施形態を含むフィルタシステム２０００Ａとを示す。
【００５２】
[0065]支持・ドレネージ材が連続構成（たとえば、図１１Ｃに示す）又はインサート（たとえば、図１３Ｂに示す）を具備する実施形態が、ＬＯＰフィルタ構成（たとえば、米国特許第５，５４３，０４７号に記載）に特に適している。たとえば、図１４は、外側フィルタケージ１６１０、内側コア１６１１、及びプリーツ付きフィルタメディア１５０１を具備するＬＯＰフィルタ１５００を具備するフィルタカートリッジ１６００Ａの一実施形態、並びに図１２Ａ〜図１２Ｃに概略的に示す個々の支持・ドレネージ材１０００Ａ、１０００Ａ’（インサート）の実施形態（第１の支持・ドレネージ要素１０００Ａ及び第２の支持・ドレネージ材１０００Ａ’は、互いに対して１８０度回転し（Ｓ＆Ｄ要素システム２５００Ａの一実施形態を提供する））を示し、プリーツ付きフィルタの各プリーツ間に配置され、したがって各インサート要素の両面が、各フィルタプリーツの面に接触し、それぞれのインサートの湾曲延長部又は端部１６１Ａ、１６１Ａ’が、ケージの内面又は内側コアの内面に接触し、プリーツ先端又はプリーツ根元をケージ又はコアから隔置し、したがってプリーツ先端又はプリーツ根元を保護しながら、流体流が通るのを可能にする。
【００５３】
[0066]支持・ドレネージ材は、濾過される流体及び温度などの該当する濾過パラメータに適した任意の適した材料から製作することができる。
【００５４】
[0067]支持・ドレネージ材は、たとえば、積層造形（「積層製造」又は「３Ｄ印刷」と呼ばれることもある）を含む当技術分野で周知の様々な方法によって作製することができる。
【００５５】
[0068]多孔質フィルタ及び多孔質フィルタ要素（たとえば、膜及び／若しくは繊維性メディア、又は複合物）は、任意の適した孔構造、たとえば孔径（たとえば、泡立ち点、若しくはたとえば米国特許第４，３４０，４７９号に記載のＫＬ、又は毛管凝縮流れ特性によって明らかである）、平均流量孔（ＭＦＰ）径（たとえば、ポロメータ、たとえばＰｏｒｖａｉｒ  Ｐｏｒｏｍｅｔｅｒ（Ｐｏｒｖａｉｒ  ｐｌｃ、ノーフォーク、英国）、又は商標ポロラックス（ＰＯＲＯＬＵＸ）（Ｐｏｒｏｍｅｔｅｒ．ｃｏｍ、ベルギー）で入手可能なポロメータを使用して特徴付けられる）、気孔率、孔直径（たとえば、米国特許第４，９２５，５７２号に記載の修正ＯＳＵ  Ｆ２試験を使用して特徴付けられる）、又は除去率メディアを有することができる。使用される孔構造は、利用すべき粒子のサイズ、処理すべき流体の組成、及び処理済み流体の所望の廃水レベルに依存する。
【００５６】
[0069]フィルタ要素及び／又はフィルタは、任意の所望の臨界濡れ表面張力（ＣＷＳＴ、たとえば米国特許第４，９２５，５７２号に定義されている）を有することができる。ＣＷＳＴは、たとえば当技術分野で知られているように、たとえば米国特許第５，１５２，９０５号、第５，４４３，７４３号、第５，４７２，６２１号、及び第６，０７４，８６９号にさらに開示されているように選択することができる。要素の表面特性は、当技術分野で周知の様々な方法によって修正することができる（たとえば、ＣＷＳＴに影響を及ぼすように、表面電荷、たとえば正若しくは負の電荷を含むように、及び／又は表面の極性若しくは親水性を変えるように）。
【００５７】
[0070]フィルタは、追加の要素、層、又は構成要素を含むことができ、追加の要素、層、又は構成要素は、異なる構造及び／又は機能、たとえばフィルタメディアの上流における前濾過（プレフィルトレーション）及び／又は緩衝（損傷保護のためのフィルタメディアの上流における緩衝又は損傷保護及び／若しくはメディア支持のためのフィルタメディアの下流における緩衝）を有することができる。
【００５８】
[0071]本発明の実施形態によれば、フィルタ及び／又はフィルタ要素は、平面、プリーツ付き、及び中空円筒形を含む様々な構成を有することができる。
【００５９】
[0072]プリーツ付きフィルタを含む例示的なフィルタ及びフィルタ要素は、米国特許第５，５４３，０４７号及び第５，５５２，０４８号に開示されている。
【００６０】
[0073]複数のフィルタ要素を具備するいくつかの実施形態では、フィルタは典型的に、少なくとも１つの入口及び少なくとも１つの出口を具備し、入口と出口との間に少なくとも１つの流体流路を画定するハウジング内に配置され、フィルタは、流体流路を横切って配置され、フィルタデバイスを形成する。フィルタデバイスは、滅菌可能とすることができる。少なくとも１つの入口及び少なくとも１つの出口を設けるのに適した形状の任意のハウジングを用いることができる。
【００６１】
[0074]ハウジングは、処理される流体に適合している任意の不浸透性の熱可塑性材料を含む任意の適した剛性の不浸透性材料から製作することができる。たとえば、ハウジングは、ステンレス鋼などの金属又はポリマーから製作することができる。
【００６２】
[0075]本明細書に引用した公開、特許出願、及び特許を含むあらゆる参照文献は、各参照文献が参照により組み込まれており、全体として本明細書に記載されると個別且つ具体的に示された場合と同じ程度に、参照により本明細書に組み込まれる。
【００６３】
[0076]本発明を説明する文脈（特に以下の特許請求の範囲の文脈）において、「ａ」及び「ａｎ」及び「ｔｈｅ」及び「少なくとも１つ（ａｔ  ｌｅａｓｔ  ｏｎｅ）」という用語並びに類似の指示語の使用は、本明細書に別途指示しない限り、又は文脈に明らかに矛盾しない限り、単数形及び複数形の両方を包含すると解釈されたい。「少なくとも１つ（ａｔ  ｌｅａｓｔ  ｏｎｅ）」という用語と、それに続く１つ又は複数の項目の一覧の使用（たとえば、「Ａ及びＢのうちの少なくとも１つ（ａｔ  ｌｅａｓｔ  ｏｎｅ  ｏｆ  Ａ  ａｎｄ  Ｂ）」）は、本明細書に別途指示しない限り、又は文脈に明らかに矛盾しない限り、列挙された項目から選択された１つの項目（Ａ又はＢ）又は列挙された項目の２つ以上のあらゆる組合せ（Ａ及びＢ）を意味すると解釈されたい。「具備する、具備する、含む、構成する（ｃｏｍｐｒｉｓｉｎｇ）」「有する（ｈａｖｉｎｇ）」「含む（ｉｎｃｌｕｄｉｎｇ）」、及び「含む（ｃｏｎｔａｉｎｉｎｇ）」という用語は、別途記載しない限り、オープンエンド（ｏｐｅｎ−ｅｎｄｅｄ）の用語であると解釈されたい（すなわち、「〜を含むが、それだけに限定されるものではない（ｉｎｃｌｕｄｉｎｇ，  ｂｕｔ  ｎｏｔ  ｌｉｍｉｔｅｄ  ｔｏ）」を意味する）。本明細書における値の範囲の記述は、本明細書に別途指示しない限り、その範囲内に入るそれぞれ別個の値を個別に参照する簡潔な方法として働くことのみを意図したものであり、それぞれ別個の値は、本明細書に個別に記述された場合と同様に、本明細書に組み込まれる。本明細書に記載するあらゆる方法は、本明細書に別途指示しない限り、又はそうでない場合、文脈に明らかに矛盾しない限り、任意の適した順序で実行することができる。本明細書に提供されるあらゆる例又は例示的な言語（たとえば、「など（ｓｕｃｈ  ａｓ）」）の使用は、別途記載しない限り、本発明にさらに光をあてることのみを意図したものであり、本発明の範囲に限定を加えるものではない。本明細書におけるいずれの言語も、記載されていない要素が本発明の実施に本質的であることを示すと解釈されるべきではない。
【００６４】
[0077]本発明を実施する本発明者らには知られている最良の形態を含めて、本発明の好ましい実施形態が本明細書に記載されている。それらの好ましい実施形態の変形例は、上記の説明を読めば当業者には明らかになるであろう。本発明者らは、当業者であれば、そのような変形例を適当に用いることを予期し、本発明者らは、本明細書に具体的に記載した以外の方法で本発明が実施されることも意図する。したがって、本発明は、準拠法によって認められる添付の特許請求の範囲に記載の主題のあらゆる修正例及び均等物を含む。さらに、本明細書に別途指示しない限り、又はそうでない場合、文脈に明らかに矛盾しない限り、本発明のあらゆる可能な変形例における前述の要素のあらゆる組合せが、本発明によって包含される。
【符号の説明】
【００６５】
１００  第１の区域
１００Ａ  第１の区域
１０１  第１の主表面
１０１Ａ  第１の主表面
１０２  第２の主表面
１０２Ａ  第２の主表面
１２０  列
１２０Ａ  列
１３０  フランジ
１３０Ａ  フランジ
１３１  開口部
１３１Ａ  開口部
１３２  スロット
１３２Ａ  スロット
１３５  横方向交差部材
１３５Ａ  横方向交差部材
１４０  開口部
１５０  横材
１５０Ａ  横材
１５０Ｂ  横材
１５１  スロット
１５１Ａ  スロット
１６１Ａ  湾曲延長部、端部
１６１Ａ’  湾曲延長部、端部
１７０  開口部
１７０Ａ  開口部
１７０Ｂ  開口部
２００  第２の区域
２００Ａ  第２の区域
２０１  第１の主表面
２０１Ａ  第１の主表面
２０２  第２の主表面
２０２Ａ  第２の主表面
２２０  列
２２０Ａ  列
２３０  フランジ
２３１  開口部
２３１Ａ  開口部
２３２  スロット
２３２Ａ  スロット
２３５  横方向交差部材
２３５Ａ  横方向交差部材
２４０  開口部
２５０  横材
２５０Ａ  横材
２５０Ｂ  横材
２５１  スロット
３００  第３の区域
３０１  第１の主表面
３０２  第２の主表面
３２０  列
３３０  フランジ
３３１  開口部
３３２  スロット
３３５  横方向交差部材
３４０  開口部
３５０  横材
３５０Ａ  横材
３５０Ｂ  横材
３５１  スロット
４００  第４の区域
４０１  第１の主表面
４０２  第２の主表面
４２０  列
４３０  フランジ
４３１  開口部
４３２  スロット
４３５  横方向交差部材
４４０  開口部
４５０  横材
４５０Ａ  横材
４５０Ｂ  横材
４５１  スロット
５００  フレーム
５００Ａ  フレーム
６００  第１の折畳み可能ヒンジ
６０１  第１の主表面
６０２  第２の主表面
６３１  開口部
６４０  開口部
７００  第２の折畳み可能ヒンジ
７０１  第１の主表面
７０２  第２の主表面
７３１  開口部
７４０  開口部
８００  第３の折畳み可能ヒンジ
８０１  第１の主表面
８０２  第２の主表面
８３１  開口部
８４０  開口部
９００Ａ  湾曲連結部
９４０Ａ  開口部
１０００  支持・ドレネージ要素、下流の支持・ドレネージ要素
１０００’  上流の支持・ドレネージ要素
１０００Ａ  支持・ドレネージ要素
１０００Ａ’  支持・ドレネージ要素
１５００  プリーツ付き多孔質フィルタ
１５０１  プリーツ付き多孔質フィルタ要素
１６００Ａ  フィルタカートリッジ
１６１０  外側フィルタケージ
１６１１  内側コア
２０００  フィルタシステム
２０００Ａ  フィルタシステム
２５００  支持・ドレネージ要素システム
２５００Ａ  支持・ドレネージ要素システム
【図１】
2020099893.tif 000003
【図２】
2020099893.tif 000004
【図３】
2020099893.tif 000005
【図４】
2020099893.tif 000006
【図５】
2020099893.tif 000007
【図６】
2020099893.tif 000008
【図７】
2020099893.tif 000009
【図８Ａ】
2020099893.tif 000010
【図８Ｂ】
2020099893.tif 000011
【図９Ａ】
2020099893.tif 000012
【図９Ｂ】
2020099893.tif 000013
【図９Ｃ】
2020099893.tif 000014
【図１０】
2020099893.tif 000015
【図１１Ａ】
2020099893.tif 000016
【図１１Ｂ】
2020099893.tif 000017
【図１１Ｃ】
2020099893.tif 000018
【図１２Ａ】
2020099893.tif 000019
【図１２Ｂ】
2020099893.tif 000020
【図１２Ｃ】
2020099893.tif 000021
【図１２Ｄ】
2020099893.tif 000022
【図１３Ａ】
2020099893.tif 000023
【図１３Ｂ】
2020099893.tif 000024
【図１４】
2020099893.tif 000025
【外国語明細書】
2020099893000001.pdf